(57)【要約】【課題】  簡易な構成で被写体の画像を処理する画像処理方法と画像処理プログラムとを提供しようとする。【解決手段】  従来の被写体の画像を処理する画像処理方法にかわって、被写体を撮影しデジタル化した複数の画像ファイルの中から、それぞれのファイルサイズを基にして特定画像ファイルを選択する画像ファイル選択工程と、前記特定画像ファイルに記録された画像を通信を通じて閲覧可能とする画像アップロード工程とを、備えるものとした。【選択図】    図１
2006268197.tif 000002
【特許請求の範囲】
【請求項１】
被写体の画像を処理する画像処理方法であって、
被写体を撮影しデジタル化した複数の画像ファイルの中から、それぞれのファイルサイズを基にして特定画像ファイルを選択する画像ファイル選択工程を、
備えることを特徴とする画像処理方法。
【請求項２】
前記特定画像ファイルに記録された画像を配信する画像配信工程、
を備えることを特徴とする請求項１に記載の画像処理方法。
【請求項３】
前記特定画像ファイルに記録された画像を通信を通じて閲覧可能とする画像アップロード工程、
を備えることを特徴とする請求項１に記載の画像処理方法。
【請求項４】
前記画像ファイル選択工程が、時系列に並んだ複数の前記画像ファイルのうちファイルサイズの大きい前記画像ファイル又は小さい前記画像ファイルのうちの一方の中から特定画像ファイルを選択する、
ことを特徴とする請求項１に記載の画像処理方法。
【請求項５】
被写体が風景を含み、
前記画像ファイル選択工程が、風景を撮影した時の気象条件が第一気象条件であるときは、複数の前記画像ファイルのうちファイルサイズの大きい前記画像ファイルの中から特定画像ファイルを選択し、風景を撮影した時の気象条件が第二気象条件であるときは、複数の前記画像ファイルのうちファイルサイズの小さい前記画像ファイルの中から特定画像ファイルを選択する、
ことを特徴とする請求項１に記載の画像処理方法。
【請求項６】
被写体が海岸に打ち寄せる波を含む風景である、
ことを特徴とする請求項１に記載の画像処理方法。
【請求項７】
被写体の画像を処理する画像処理プログラムであって、
コンピュータに、
被写体を撮影しデジタル化した複数の画像ファイルの中から、それぞれのファイルサイズを基にして特定画像ファイルを選択する画像ファイル選択機能、
を実現させることを特徴とする画像処理プログラム。
【請求項８】
前記特定画像ファイルに記録された画像を配信する画像配信機能、
を実現させることを特徴とする請求項７に記載の画像処理プログラム。
【請求項９】
前記特定画像ファイルに記録された画像を通信を通じて閲覧可能とする画像アップロード機能、
を実現させることを特徴とする請求項７に記載の画像処理プログラム。
【請求項１０】
前記画像ファイル選択機能が、時系列に並んだ複数の前記画像ファイルのうちファイルサイズの大きい前記画像ファイルまたは小さい前記画像ファイルのうちの一方の中から特定画像ファイルを選択する、
ことを特徴とする請求項７に記載の画像処理プログラム。
【請求項１１】
被写体が風景を含み、
前記画像ファイル選択機能が、風景を撮影した時の気象条件が第一気象条件であるときは、複数の前記画像ファイルのうちファイルサイズの大きい前記画像ファイルから特定画像ファイルを選択し、風景を撮影した時の気象条件が第二気象条件であるときは、複数の前記画像ファイルのうちファイルサイズの小さい前記画像ファイルから特定画像ファイルを選択する、
ことを特徴とする請求項７に記載の画像処理プログラム。
【請求項１２】
被写体が海岸に打ち寄せる波を含む風景である、
ことを特徴とする請求項７に記載の画像処理プログラム。
【請求項１３】
被写体の画像を処理する画像処理方法であって、
被写体を撮影しデジタル化した複数の画像ファイルのファイルサイズの時系列の変化の様子から被写体の状態を推定する状態推定工程、
を備えることを特徴とする画像処理方法。
【請求項１４】
前記状態推定工程が、複数の前記画像ファイルのファイルサイズの時系列の変化の幅が所定の値より小さいときに被写体の動きが少ないと推定する、
ことを特徴とする請求項１３に記載の画像処理方法。
【請求項１５】
被写体の画像を処理する画像処理プログラムであって、
コンピュータに、
被写体を撮影しデジタル化した複数の画像ファイルのファイルサイズの時系列の変化の様子から被写体の状態を推定する状態推定機能、
を実行させることを特徴とする画像処理プログラム。
【請求項１６】
前記状態推定機能が、複数の前記画像ファイルのファイルサイズの時系列の変化の幅が所定の値より小さいときに被写体の動きが少ないと推定する、
ことを特徴とする請求項１５に記載の画像処理プログラム。
【発明の詳細な説明】
【技術分野】
【０００１】
本発明は、被写体の画像を処理する画像処理方法と画像処理プログラムとに係る。特に、被写体の状態を推定する画像選択工程に特徴のある画像処理方法と画像処理プログラムとに関する。
【背景技術】
【０００２】
被写体を撮影した際に、画像をデジタル化した画像ファイルを取り扱うことが一般的である。
その際に画像ファイルに記録された画像の中の被写体の状態を知りたい場合がある。
例えば、画像ファイルに記録された画像に目的とする被写体が存在しているか、存在していないのかを知りたい場合がある。
例えば、画像ファイルに記録された画像中における被写体の占める割合が小さいか大きいかを知りたい場合がある。
【０００３】
従来、この様な要請があるばあい、画像ファイルの時系列な画像を所定のアルゴリズムで画像解析していた。例えば、画像の全体フレームの中の画素データの集まりを特定のアルゴリズムで処理する。
【０００４】
一方、被写体を撮影して画像ファイルを生成する際に、所定の圧縮処理アルゴリズムを用いてデジタル化処理をおこないファイルサイズの小さな画像ファイルを得ることが一般化している。ある動画の画像ファイルの圧縮処理アルゴリズムでは、時系列の画像の差分に注目して動画データを記録する。この様にすると、圧縮処理アルゴリズムを用いないでデジタル化をおこなって得た画像ファイルのファイルサイズに較べて、圧縮処理アルゴリズムを用いてデジタル化をおこなって得た画像ファイルのファイルサイズは小さくなる。
同じ圧縮処理アルゴリズムを用いてデジタル化を行なった場合でも、被写体の状態によって、時系列に並んだ画像のファイルサイズにバラつきが生ずる
【０００５】
【特許文献１】特開２００３−１２４９１４号
【発明の開示】
【発明が解決しようとする課題】
【０００６】
本発明は、上記の知見に基づき発案されたもので、簡易な構成で被写体の画像を処理する画像処理方法と画像処理プログラムとを提供しようとする。
【課題を解決するための手段】
【０００７】
上記目的を達成するため、本発明に係る被写体の画像を処理する画像処理方法を、被写体を撮影しデジタル化した複数の画像ファイルの中から、それぞれのファイルサイズを基にして特定画像ファイルを選択する画像ファイル選択工程を、
備えるものとした。
【０００８】
上記本発明の構成により、被写体の状態に応じてデジタル化した複数の画像ファイルのファイルサイズにバラつきが生じるので、被写体を撮影しデジタル化した複数の画像ファイルの中から、それぞれのファイルサイズを基にして特定画像ファイルを選択すると、被写体の状態に対応した画像をもった画像ファイルを特定できる。
【０００９】
以下に、本発明のいくつかの実施形態を説明する。本発明は、以下に記載の実施形態のいずれか、またはそれらの中の二つ以上が組合わされた態様を含む。
【００１０】
さらに、本発明の実施形態に係る画像処理方法は、前記特定画像ファイルに記録された画像を配信する画像配信工程、を備える。
上記実施形態の構成により、前記特定画像ファイルに記録された画像を配信するので、被写体の状態に対応した画像を配信することをできる。
【００１１】
さらに、本発明の実施形態に係る画像処理方法は、前記特定画像ファイルに記録された画像を通信を通じて閲覧可能とする画像アップロード工程、を備える
上記実施形態の構成により、前記特定画像ファイルに記録された画像を通信を通じて閲覧可能とするので、被写体の状態に対応した画像を閲覧可能にできる。
【００１２】
さらに、本発明の実施形態に係る画像処理方法は、前記画像ファイル選択工程が、時系列に並んだ複数の前記画像ファイルのうちファイルサイズの大きい前記画像ファイル又は小さい前記画像ファイルのうちの一方の中から特定画像ファイルを選択する。
上記本発明の構成により、時系列に並んだ複数の前記画像ファイルのうちファイルサイズの大きい前記画像ファイル又は小さい前記画像ファイルのうちの一方の中から特定画像ファイルを選択するので、被写体の変化の多い状態または少ない状態の一方に対応した画像をもった画像ファイルを特定画像ファイルとして特定できる。
【００１３】
さらに、本発明の実施形態に係る画像処理方法は、被写体が風景を含み、
前記画像ファイル選択工程が、風景を撮影した時の気象条件が第一気象条件であるときは、複数の前記画像ファイルのうちファイルサイズの大きい前記画像ファイルの中から特定画像ファイルを選択し、風景を撮影した時の気象条件が第二気象条件であるときは、複数の前記画像ファイルのうちファイルサイズの小さい前記画像ファイルの中から特定画像ファイルを選択する。
上記本発明の構成により、風景を撮影した時の気象条件が第一気象条件であるときは、複数の前記画像ファイルのうちファイルサイズの大きい前記画像ファイルの中から特定画像ファイルを選択するので、被写体の変化の多い状態に対応した画像をもった画像ファイルを特定でき、風景を撮影した時の気象条件が第二気象条件であるときは、複数の前記画像ファイルのうちファイルサイズの小さい前記画像ファイルの中から特定画像ファイルを選択するので、被写体の変化の少ない状態に対応した画像をもった画像ファイルを特定できる。
【００１４】
さらに、本発明の実施形態に係る画像処理方法は、被写体が海岸に打ち寄せる波を含む風景である。
上記本発明の構成により、被写体が海岸に打ち寄せる波を含む風景であるので、打ち寄せる波の変化の状態に対応した画像を持った画像ファイルを特定できる。
【００１５】
上記目的を達成するため、本発明に係る被写体の画像を処理する画像処理プログラムを、コンピュータに、
被写体を撮影しデジタル化した複数の画像ファイルの中から、それぞれのファイルサイズを基にして特定画像ファイルを選択する画像ファイル選択機能、
を実現させるものとした。
【００１６】
上記本発明の構成により、被写体を撮影しデジタル化した複数の画像ファイルの中から、それぞれのファイルサイズを基にして特定画像ファイルを選択すると、被写体の状態に応じてデジタル化した複数の画像ファイルのファイルサイズにバラつきが生じるので、被写体の状態に対応した画像をもった画像ファイルを特定画像ファイルとして特定できる。
【００１７】
以下に、本発明のいくつかの実施形態を説明する。本発明は、以下に記載の実施形態のいずれか、またはそれらの中の二つ以上が組合わされた態様を含む。
【００１８】
さらに、本発明の実施形態に係る画像処理プログラムは、前記特定画像ファイルに記録された画像を通信を通じて閲覧可能とする画像アップロード機能、を実現させる。
上記実施形態の構成により、前記特定画像ファイルに記録された画像を配信するので、被写体の状態に対応した画像を配信することをできる。
【００１９】
さらに、本発明の実施形態に係る画像処理プログラムは、前記特定画像ファイルに記録された画像を通信を通じて閲覧可能とする画像アップロード機能と、を実現させる。
上記実施形態の構成により、前記特定画像ファイルの記録する画像を通信を通じて閲覧可能とするので、被写体の状態に対応した画像を閲覧可能にできる。
【００２０】
さらに、本発明の実施形態に係る画像処理プログラムは、前記画像ファイル選択機能が、時系列に並んだ複数の前記画像ファイルのうちファイルサイズの大きい前記画像ファイルまたは小さい前記画像ファイルのうちの一方の中から特定画像ファイルを選択する。
上記実施形態の構成により、時系列に並んだ複数の前記画像ファイルのうちファイルサイズの大きい前記画像ファイルまたは小さい前記画像ファイルのうちの一方の中から特定画像ファイルを選択するので、被写体の変化の多い状態または少ない状態の一方に対応した画像をもった画像ファイルを特定画像ファイルとして特定できる。
【００２１】
さらに、本発明の実施形態に係る画像処理プログラムは、被写体が風景を含み、前記画像ファイル選択機能が、風景を撮影した時の気象条件が第一気象条件であるときは、複数の前記画像ファイルのうちファイルサイズの大きい前記画像ファイルから特定画像ファイルを選択し、風景を撮影した時の気象条件が第二気象条件であるときは、複数の前記画像ファイルのうちファイルサイズの小さい前記画像ファイルから特定画像ファイルを選択する。
上記実施形態の構成により、風景を撮影した時の気象条件が第一気象条件であるときは、複数の前記画像ファイルのうちファイルサイズの大きい前記画像ファイルから特定画像ファイルを選択して、被写体の変化の多い状態に対応した画像をもった画像ファイルを特定でき、風景を撮影した時の気象条件が第二気象条件であるときは、複数の前記画像ファイルのうちファイルサイズの小さい前記画像ファイルから特定画像ファイルを選択して、被写体の変化の少ない状態に対応した画像をもった画像ファイルを特定できる。
【００２２】
さらに、本発明の実施形態に係る画像処理プログラムは、被写体が海岸に打ち寄せる波を含む風景である。
上記実施形態の構成により、被写体が海岸に打ち寄せる波を含む風景であるので、打ち寄せる波の変化の状態に対応した画像を持った画像ファイルを特定できる。
【００２３】
上記目的を達成するため、本発明に係る被写体の画像を処理する画像処理方法を、被写体を撮影しデジタル化した複数の画像ファイルのファイルサイズの時系列の変化の様子から被写体の状態を推定する状態推定工程、を備えるものとした。
【００２４】
上記本発明の構成により、被写体を撮影しデジタル化した複数の画像ファイルのファイルサイズの時系列の変化の様子から被写体の状態を推定するので、被写体の状態に応じてデジタル化した複数の画像ファイルのファイルサイズにバラつきが生じ、簡易に被写体の状態を推定できる。
【００２５】
以下に、本発明の実施形態を説明する。
【００２６】
さらに、本発明の実施形態に係る画像処理方法は、前記状態推定工程が、複数の前記画像ファイルのファイルサイズの時系列の変化の幅が所定の値より小さいときに被写体の動きが少ないと推定する。
上記実施形態の構成により、複数の前記画像ファイルのファイルサイズの時系列の変化の幅が所定の値より小さいときに被写体の動きが少ないと推定するので、簡易に被写体の動きの少ない状態を推定できる。
【００２７】
上記目的を達成するため、本発明に係る被写体の画像を処理する画像処理プログラムを、コンピュータに、被写体を撮影しデジタル化した複数の画像ファイルのファイルサイズの時系列の変化の様子から被写体の状態を推定する状態推定機能、
を実行させるものとした。
【００２８】
上記本発明の構成により、被写体を撮影しデジタル化した複数の画像ファイルのファイルサイズの時系列の変化の様子から被写体の状態を推定するので、被写体の状態に応じてデジタル化した複数の画像ファイルのファイルサイズにバラつきが生じ、簡易に被写体の状態を推定できる。
【００２９】
以下に、本発明の実施形態を説明する。
【００３０】
さらに、本発明の実施形態に係る画像処理プログラムは、前記状態推定機能が、複数の前記画像ファイルのファイルサイズの時系列の変化の幅が所定の値より小さいときに被写体の動きが少ないと推定する。
上記実施形態の構成により、複数の前記画像ファイルのファイルサイズの時系列の変化の幅が所定の値より小さいときに被写体の動きが少ないと推定するので、簡易に被写体の動きの少ない状態を推定できる。
【発明の効果】
【００３１】
以上説明したように本発明に係る被写体の画像を処理する画像処理方法と画像処理プログラムは、その構成により、以下の効果を有する。
被写体を映写しデジタル化した複数の画像ファイルの中からファイルサイズを基にして特定画像ファイルを特定すると、被写体の状態に応じてデジタル化した複数の画像ファイルのファイルサイズにバラつきが生じるので、被写体の状態に対応した画像をもった画像ファイルを特定画像ファイルとして特定できる。
また、前記特定画像ファイルの記録する画像を配信するので、被写体の状態に対応した画像を配信することをできる。
また、前記特定画像ファイルの記録する画像を通信を通じて閲覧可能とするので、被写体の状態に対応した画像を閲覧可能にできる。
また、時系列に並んだ複数の前記画像ファイルのうちファイルサイズの大きい前記画像ファイルまたは小さい前記画像ファイルの一方の中から特定画像ファイルを選択するので、被写体の変化の多い状態または少ない状態の一方に対応した画像をもった画像ファイルを特定画像ファイルとして特定できる。
また、風景を撮影した時の気象条件が第一気象条件であるときは、複数の前記画像ファイルのうちファイルサイズの大きな前記画像ファイルの中から特定画像ファイルを選択するので、被写体の変化の多い状態に対応した画像をもった画像ファイルを特定でき、
風景を撮影した時の気象条件が第二気象条件であるときは、複数の前記画像ファイルのうちファイルサイズの小さな前記画像ファイルの中から特定画像ファイルを選択するので、被写体の変化の少ない状態に対応した画像をもった画像ファイルを特定できる。
被写体が海岸に打ち寄せる波を含む風景であるので、打ち寄せる波の変化の状態に対応した画像を持った画像ファイルを特定できる。
【００３２】
被写体を映写しデジタル化した複数の画像ファイルの中からファイルサイズを基にして被写体の状態を推定すると、被写体の状態に応じてデジタル化した複数の画像ファイルのファイルサイズにバラつきが生じるので、そのバラつきの様子から簡易に被写体の状態を推定できる。
また、複数の前記画像ファイルのファイルサイズの時系列の変化の幅が所定の値より小さいときに被写体の動きが少ないと推定するので、簡易に被写体の動きの少ない状態を推定できる。
従って、簡易な構成で被写体の画像を処理する画像処理方法と画像処理プログラムとを提供できる。
【発明を実施するための最良の形態】
【００３３】
以下、本発明を実施するための最良の形態を、図面を参照して説明する。なお、各図において、共通する部分には同一の符号を付し、重複した説明を省略する。
【００３４】
本発明の第一の実施形態に係る画像処理プログラムを、説明する。
最初に、画像処理プログラムを利用する画像処理装置を、図を基に説明する。
図１は、本発明の実施形態に係る画像処理システムの概念図である。
画像処理システムは、撮影機１０とコンピュータ２０とデータセンター３０とで構成される。
撮影機１０は、被写体を撮影する機器である。例えば、撮影機１０は、デジタルカメラまたはアナログカメラである。
デジタルカメラは、被写体を撮影し所定の圧縮処理アルゴリズムによりデジタル化して画像ファイルを生成し、時系列に送信する。
アナログカメラは、被写体を撮影しビデオ信号を出力する。ビデオ信号は、専用電子回路により所定の圧縮処理アルゴリズムによりデジタル化して画像ファイルを生成し、時系列に送信される。
例えば、撮影機１０は、被写体を一定時間だけ撮影しＭＰＥＧ形式にデジタル化して画像ファイルを生成し、画像ファイルを電子通信回線を介してコンピュータ２０へ順次に送信する。生成された画像ファイルのファイルサイズは、画像を単にデジタル化した場合のファイルサイズよりも小さい。
画像ファイルは、動画ファイルまたは静止画ファイルである。
画像は、動画または静止画である。
動画は、動画ファイルに記録された動画であってもよいし、複数の静止画ファイルに記録された静止画から生成した動画であってもよい。
静止画は、動画ファイルに記録された動画から生成した静止画であってもよいし、静止画ファイルに記録されたファイルであってもよい。
【００３５】
時系列に並べた複数の画像ファイルのファイルサイズは被写体の状態によってバラつく。
例えば、被写体の動きが大きい状態での画像ファイルのファイルサイズは、被写体の動きが少ない状態での画像ファイルのファイルサイズよりも大きい。
また、被写体の明度が高い状態での動画サイズのファイルサイズは、被写体の明度が低い状態での画像ファイルのファイルサイズよりも大きい。
また、被写体が風景であるばあい、風景中に動くものが多い状態での画像ファイルのファイルサイズは、風景中に動くものが少ない状態での画像ファイルのファイルサイズよりも大きい。
また、被写体の形状、色彩が複雑な状態での画像ファイルのファイルサイズは、被写体の形状、色彩が単調な状態での画像ファイルのファイルサイズよりも大きい。
これは、デジタル化する際の圧縮処理アルゴリズムのしくみに関係するものと思われる。
【００３６】
コンピュータ２０は、ＣＰＵと内部記憶装置と外部記憶装置とキーボードとモニタと各種インターフェースをもった計算機であって、例えば、パーソナルコンピュータである。
コンピュータは、画像処理プログラムにより画像処理機能を実現する。
コンピュータ２０は、インターフェースを介して電子通信回線に通信可能であり、撮影機１０、データセンター３０、顧客４０、その他とデータ交換をすることをできる。
電子通信回線は、インターネット、電話回線、携帯電話無線、一般無線等である。
【００３７】
データセンター３０は、データを保存し通信することをできるコンピュータである。
例えば、データセンター３０は、インターネットに接続されてＷＥＢサーバの役割をするコンピュータである。
【００３８】
顧客４０は、パソコンや携帯端末や携帯電話を持っている。
顧客４０は、パソコンや携帯端末や携帯電話によりコンピュータ２０からデータを受け取ったり、データセンター３０にアクセスしてデータをダウンロードできる。
【００３９】
以下に、第一の実施形態に係る画像処理プログラムを、図を基に説明する。
図２は、本発明の第一の実施形態に係る画像処理装置の機能ブロック図である。
画像処理プログラムは、被写体の画像を処理するために、コンピュータ２０に画像処理機能Ｆ１０を実行させるプログラムである。
コンピュータ２０は、被写体を撮影する撮影機１０と通信可能である。
画像処理機能Ｆ１０は、画像ファイル取得機能Ｆ１１とファイル保存機能Ｆ１２と画像ファイル選択機能Ｆ１３と画像配信機能Ｆ１４と画像アップロード機能Ｆ１５とで構成される。
【００４０】
画像ファイル取得機能Ｆ１１は、撮影機から被写体を撮影しデジタル化した複数の画像ファイルを取得する機能である。
画像ファイル取得機能Ｆ１１は、撮影機から被写体を撮影し所定の圧縮処理アルゴリズムによりデジタル化して時系列に並んだ複数の画像ファイルを取得する機能であってもよい。
例えば、デジタルカメラ１０に設定指令をおくる。設定指令は、映写アングル、映写時間、映写サンプリング時間、圧縮処理アルゴリズムのパラメータ等を設定する指令である。
コンピュータ２０は、デジタルカメラ１０から複数の画像ファイルを映写サンプリング時間毎に受信する。
【００４１】
ファイル保存機能Ｆ１２は、複数の画像ファイルを外部記憶装置に保存する機能である。
コンピュータ２０は、受信した画像ファイルを時系列にコンピュータ２０の外部記憶装置に保存する。
【００４２】
画像ファイル選択機能Ｆ１３は、被写体を撮影しデジタル化した複数の画像ファイルの中から、それぞれのファイルサイズを基にして特定画像ファイルを選択する機能である。
例えば、画像ファイルのファイルサイズの大小を基にして、複数の画像ファイルの中から特定画像ファイルを選択する機能である。
時系列に並んだ複数の画像ファイルのうちファイルサイズの大きい画像ファイルから特定画像ファイルを選択してもよい。例えば、複数の画像ファイルの中から最大のファイルサイズの画像ファイルを特定画像ファイルとする。また、例えば、複数の画像ファイルの中から最大のファイルサイズ以下の所定のサイズ幅の中に入る画像ファイルを選定し、その画像ファイルのなかから所定のルールにより選択した画像ファイルを特定画像ファイルとする。この様にすると、複数の画像ファイルのなかから被写体の動きの多い画像ファイルを特定画像ファイルとして選定できる。また、複数の画像ファイルの中から被写体の明度が高い画像ファイルを特定画像ファイルを選定できる。
時系列に並んだ複数の画像ファイルのうちファイルサイズの小さい画像ファイルから特定画像ファイルを選択してもよい。例えば、複数の画像ファイルの中から最小のファイルサイズの画像ファイルを特定画像ファイルとする。また、例えば、複数の画像ファイルの中から最小のファイルサイズ以上の所定のサイズ幅の中に入る画像ファイルを選定し、その画像ファイルのなかから所定のルールにより選択した画像ファイルを特定画像ファイルとする。この様にすると、複数の画像ファイルのなかから被写体の動きの少ない画像ファイルを特定画像ファイルとして選定できる。また、複数の画像ファイルの中から被写体の明度が低い画像ファイルを特定画像ファイルを選定できる。
【００４３】
被写体が風景を含むときに、風景を撮影した時の気象条件が第一気象条件であるときは、複数の前記画像ファイルのうちファイルサイズの大きい前記画像ファイルの中から特定画像ファイルを選択し、風景を撮影した時の気象条件が第二気象条件であるときは、複数の前記画像ファイルのうちファイルサイズの小さい前記画像ファイルの中から特定画像ファイルを選択してもよい。この様にすると、気象条件の変化に従って、異なる状態の画像ファイルを選択できる。ここで、第一気象条件と第二気象条件とは同一でない。特に第一気象条件と第二気象条件とは同時に発生しない気象条件であってもよい。
例えば、被写体が風景を含むときに、風景を撮影した時の気象条件が特定の気象条件でないときは、時系列に並んだ複数の画像ファイルのうちファイルサイズの大きな画像ファイルから特定画像ファイルを選択し、風景を撮影した時の気象条件が特定の気象条件であるときは、時系列に並んだ複数の画像ファイルのうちファイルサイズの小さな画像ファイルから特定画像ファイルを選択してもよい。この様にすると、気象条件の変化に従って、異なる状態の画像ファイルを選択できる。
【００４４】
被写体が海岸に打ち寄せる波を含む風景であってもよい。この様にすると、海岸に打ち寄せる波の状態の変化に対応して、複数の画像ファイルを選択できる。
例えば、被写体が海岸に打ち寄せる波を含む風景であって、時系列に並んだ複数の画像ファイルのうちファイルサイズの大きい前記画像ファイルから画像ファイルを選択してもよい。この様にすると、海岸に打ち寄せる波の大きな、または波の多い画像を含む画像ファイルを特定画像ファイルとして選択できる。
例えば、被写体が海岸に打ち寄せる波を含む風景であって、時系列に並んだ複数の画像ファイルのうちファイルサイズの小さい前記画像ファイルから画像ファイルを選択してもよい。この様にすると、海岸に打ち寄せる波の小さい、または波の少ない画像を含む画像ファイルを特定画像ファイルとして選択できる。
【００４５】
例えば、被写体が海岸に打ち寄せる波を含む風景であって、特定の気象条件が撮影地点沖合いに台風のいる状態である。この場合、強く大きなウネリが海岸に届いている。
例えば、風景を撮影した時に台風がいないときは、時系列に並んだ複数の画像ファイルのうちファイルサイズの大きな画像ファイルから特定画像ファイルを選択し、風景を撮影した時に台風が来ているときは、時系列に並んだ複数の画像ファイルのうちファイルサイズの小さな画像ファイルから特定画像ファイルを選択してもよい。この様にすると、波浪が小さいときは、波浪の比較的多い画像を撮影した画像ファイルを特定画像ファイルとして選定し、波浪が大きいときは、波浪の比較的少ない画像を撮影した画像ファイルを特定画像ファイルとして選択できる。
この様にすると、台風が来ていないときは、なるべく波の多い風景または波の大きい風景を特定でき、台風が来ているときは、なるべく波の少ない風景または波の小さい風景を特定できる。従って、サーフィン等のマリンレジャーに適した波の写った画像を特定できる。
【００４６】
また例えば、特定の気象条件が海からの強い風（海風）が吹いている状態でもよい。この場合の風速は、例えば、風速８ｍ以上である。
サーフィンなどのマリンレジャーを楽しむための画像を配信する場合、通常は、より大きな波がより多く海岸に届いて崩れる様子を写した画像を選択して配信するのが好ましい。そのために、ファイルサイズの大きな画像ファイルを選択する。しかし、風向きが海から岸に向かって吹いてると波頭が崩れて、グシャグシャとして三画波で波高が高くなる。このような場合は。ファイルサイズの小さい画像ファイルを選択することで、穏やかなタイミングの波をサーファー向けに配信するのが好ましい。
【００４７】
画像配信機能Ｆ１４は、特定画像ファイルに記録された画像を配信する機能である。
画像は、動画または静止画である。
画像ファイルは、動画ファイルまたは静止画ファイルである。
例えば、特定画像ファイルを顧客４０のパソコン、携帯端末、携帯電話等に送信する。
例えば、特定画像ファイルから新たな画像ファイルを取得し、その画像ファイルを顧客４０のパソコン、携帯端末、携帯電話等に送信する。
例えば、特定画像ファイルに含まれる静止画像を顧客４０のパソコン、携帯端末、携帯電話等に送信する。
【００４８】
画像アップロード機能Ｆ１５は、特定画像ファイルに記録された画像を通信を通じて閲覧可能とする機能である。
画像は、動画と静止画とを含む。
例えば、特定画像ファイルをデータセンター３０にアップロードする。
例えば、特定画像ファイルから新たな画像ファイルを取得し、その画像ファイルをデータセンター３０にアップロードする。
例えば、特定画像ファイルに含まれる静止画像を画像ファイルとして、その画像ファイルをデータセンター３０にアップロードする。
データセンター３０は、ＷＥＢサーバである。
顧客４０は、パソコン、携帯端末。携帯電話等により特定画像ファイル、画像ファイル、画像ファイルをダウンロードして、特定画像ファイルの記録する画像を閲覧できる。
【００４９】
次に、本発明の第一の実施形態に係る画像処理方法を、図を基に説明する。
図３は、本発明の第一の実施形態に係る画像処理方法の手順図である。
画像処理方法Ｓ１０は、被写体の画像を処理する方法であって、画像ファイル取得工程Ｓ１１と画像ファイル選択工程Ｓ１２と画像配信工程Ｓ１３と画像アップロード工程Ｓ１４とで構成される。
【００５０】
画像ファイル取得工程Ｓ１１は、被写体を撮影しデジタル化した複数の画像ファイルを取得する工程である。
画像ファイル取得工程Ｓ１１は、被写体を撮影し所定の圧縮処理アルゴリズムによりデジタル化して時系列に並んだ複数の画像ファイルを取得する工程であってもよい。
被写体が海岸に打ち寄せる波を含む風景であってもよい。
例えば、デジタルカメラにより被写体を撮影し、所定の圧縮処理アルゴリズムによりデジタッル化して画像ファイルに変換する。所定のサンプリングタイム毎に、この工程を繰り返し、時系列に並んだ複数の画像ファイルを取得する。
【００５１】
画像ファイル選択工程Ｓ１２は、被写体を撮影しデジタル化した複数の画像ファイルの中から、それぞれのファイルサイズを基にして特定画像ファイルを選択する工程である。
画像ファイルのファイルサイズの大小を基にして複数の画像ファイルの中から特定画像ファイルを選択してもよい。
時系列に並んだ複数の画像ファイルのうちファイルサイズの大きな画像ファイルまたは小さな画像ファイルの一方の中から特定画像ファイルを選択してもよい。
被写体が風景を含むときに、風景を撮影した時の気象条件が第一気象条件であるときは、複数の前記画像ファイルのうちファイルサイズの大きい前記画像ファイルの中から特定画像ファイルを選択し、風景を撮影した時の気象条件が第二気象条件であるときは、複数の前記画像ファイルのうちファイルサイズの小さい前記画像ファイルの中から特定画像ファイルを選択してもよい。この様にすると、気象条件の変化に従って、異なる状態の画像ファイルを選択できる。ここで、第一気象条件と第二気象条件とは同一でない。特に第一気象条件と第二気象条件とは同時に発生しない気象条件であってもよい。
例えば、被写体が風景であるときに、風景を撮影した時の気象条件が特定の気象条件でないときは、時系列に並んだ複数の画像ファイルのうちファイルサイズの大きな画像ファイルの中から特定画像ファイルを選択し、風景を撮影した時の気象条件が特定の気象条件であるときは、時系列に並んだ複数の画像ファイルのうちファイルサイズの小さな画像ファイルの中から画像ファイルを選択してもよい。
画像ファイル選択工程Ｓ１２は、コンピュータ２０が画像ファイル選択機能Ｆ１３を実現した際の工程と同じなので、その詳細な説明を省略する。
【００５２】
画像配信工程Ｓ１３は、特定画像ファイルに記録された画像を配信する工程である。
画像配信工程Ｓ１３は、コンピュータ２０が画像配信機能Ｆ１４を実現した際の工程と同じなので、その詳細な説明を省略する。
【００５３】
画像アップロード工程Ｓ１４は、特定画像ファイルに記録された画像を通信を通じて閲覧可能とする工程である。
画像アップロード工程Ｓ１４は、コンピュータ２０が画像アップロード機能Ｆ１５を実現した際の工程と同じなので、その詳細な説明を省略する。
【００５４】
次に、本発明の第二の実施形態に係る画像処理プログラムを、図を基に説明する。
画像処理プログラムを利用する画像処理装置は、第一の実施形態に係る画像処理プログラムにおいて説明したものと同じなので、説明を省略する。
図４は、本発明の第二の実施形態に係る画像処理装置の機能ブロック図である。
【００５５】
画像処理プログラムは、被写体の画像を処理するために、コンピュータ２０に画像処理機能Ｆ２０を実行させるプログラムである。
画像処理機能Ｆ２０は、画像ファイル取得機能Ｆ２１とファイル保存機能Ｆ２２と状態推定機能Ｆ２３と状態通信機能Ｆ２４と状態アップロード機能Ｆ２５とで構成される。
画像ファイル取得機能Ｆ２１とファイル保存機能Ｆ２２とは、第一の実施形態に係る画像処理機能Ｆ１０で説明したものと同じなので、説明を省略する。
【００５６】
状態推定機能Ｆ２３は、被写体を撮影しデジタル化した複数の画像ファイルのファイルサイズの時系列の変化の様子から被写体の状態を推定する機能である。
複数の画像ファイルのファイルサイズの時系列の変化の幅が所定の値より小さいときに被写体の動きが少ないと推定してもよい。
例えば、被写体が住居人の一人住まいの住居の屋内の様子であったとすると、複数の画像ファイルのファイルサイズの時系列の変化の幅が所定の値より小さいときに住居人の動きが少ないと推定してもよい。
複数の画像ファイルのファイルサイズの時系列の変化の幅が所定の値より大きいときに被写体の動きが多いと推定してもよい。
例えば、被写体が留守の住居の屋内の様子であったとすると、複数の画像ファイルのファイルサイズの時系列の変化の幅が所定の値より大ききなったときに不審者が動いていると推定してもよい。
【００５７】
状態通信機能Ｆ２４は、状態に対応した通信を行なう機能である。
予め準備された複数のメッセージの中から状態に対応したメッセージを顧客４０のパソコン、形態端末、形態電話等に送信する。
【００５８】
状態アップロード機能Ｆ２５は、状態に対応した通信ファイルを通信を通じて閲覧可能とする機能である。
予め準備された複数のメッセージの中から状態に対応したデータセンター３０にアップロードする。
【００５９】
次に、本発明の第二の実施形態に係る画像処理方法を、図を基に説明する。
図５は、本発明の第二の実施形態に係る画像処理方法の手順図である。
画像処理方法Ｓ２０は、被写体の画像を処理する方法であって、画像ファイル取得工程Ｓ２１と状態推定工程Ｓ２２と状態通信工程Ｓ２３と状態アップロード工程Ｓ２４とで構成される。
画像ファイル取得工程Ｓ２１は、第一の実施形態に係る画像処理方法のものと同じなので、説明を省略する。
【００６０】
状態推定工程Ｓ２２は、被写体を撮影しデジタル化した複数の画像ファイルのファイルサイズの時系列の変化の様子から被写体の状態を推定する工程である。
状態推定工程Ｓ２２は、コンピュータ２０が状態推定機能Ｆ２３を実現した際の工程と同じなので、その詳細説明を省略する。
【００６１】
状態通信工程Ｓ２３は、状態に対応した通信を行なう機能である。
状態通信工程Ｓ２３は、コンピュータ２０が状態通信機能Ｆ２４を実現した際の工程と同じなので、その詳細説明を省略する。
【００６２】
状態アップロード機能Ｓ２４は、状態に対応した通信ファイルを通信を通じて閲覧可能とする機能である。
状態アップロード機能Ｓ２４は、コンピュータ２０が状態アップロード機能Ｆ２５を実現した際の工程と同じなので、その詳細説明を省略する。
【実施例１】
【００６３】
次に、本発明の実施形態に係る画像処理方法の実施例を説明する。
図６は、本発明の第一の実施形態に係る画像処理方法の実施例である。
図６は、海岸に打ち寄せる波を含む風景を撮影した際の動画ファイルである。
各々の撮影条件を以下に示す。
ＣＡＳＥ１〜ＣＡＳＥ９（Ｃ１〜Ｃ９）は、２００５年２月３日１１：００と１４：００と２００５年２月４日１４：００の特定の海岸線（由比ヶ浜、江ノ島、青島）の近景または遠景を撮影して得た画像ファイルのファイルサイズである。画像ファイルはＭＰＥＧ形式によりデジタル化されたものである。
以下に、ＣＡＳＥ１〜ＣＡＳＥ９での状態を示す。
ＣＡＳＥ１：由比ヶ浜、近景、晴れ、うねりあり、波頭が崩れる。
ＣＡＳＥ２：由比ヶ浜、近景、明るい晴れ、うねりあり、波頭が崩れる。
ＣＡＳＥ３：由比ヶ浜、近景、明るい晴れ、うねりあり、波頭が崩れる。
ＣＡＳＥ４：江ノ島、近景、晴れ、うねりあり、波頭が崩れず。
ＣＡＳＥ５：江ノ島、近景、晴れ、うねりあり、波頭が崩れず。
ＣＡＳＥ６：江ノ島、近景、晴れ、うねりなし、波頭が崩れず。
ＣＡＳＥ７：青島、遠景、曇り、うねりあり、波頭が崩れる。
ＣＡＳＥ８：青島、遠景、晴れ、うねりあり、波頭が崩れる。
ＣＡＳＥ９：青島、遠景、曇り、うねりあり、波頭が崩れる。
【００６４】
実施例１の結果から、以下の事が判明した。
（１）うねりがあるとファイルサイズが大きくなる。
（２）波頭が崩れるとファイルサイスが大きくなる。
（３）風景の明度差、色調。コントラスト等が異なると、ファイルサイズが変化する。
（４）遠景であると、ファイルサイズの変化が小さくなる。
【実施例２】
【００６５】
次に、デジタルカメラで撮影した静止画のファイルサイズについて説明する。
何もない机上を撮影した画像：２１５Ｋバイト
机上にあるボールペンを遠景で撮影した画像：２２６Ｋバイト
机上にあるボールペンを近景で撮影した画像：４２４Ｋバイト
机上にあるケースに入った色鉛筆を遠景で撮影した画像：１０１Ｋバイト
机上にあるケースに入った色鉛筆を近景で撮影した画像：１４７Ｋバイト
机上にあるケースに入った色鉛筆を接近して撮影した画像：１７４Ｋバイト
細く崩れた２本の白い波のある海岸を撮影した画像：３７８Ｋバイト
広く崩れた２本の白い波のある海岸を撮影した画像：３９７Ｋバイト
細く崩れた３本の白い波のある海岸を撮影した画像：３９９Ｋバイト
【００６６】
実施例２の結果から、以下の事が判明した。
（１）被写体の形状、色彩、明暗差が複雑な場合は、ファイルサイズが大きくなる。
（２）被写体の有無、大きさでファイルサイズが変化する。
このことから、交差点における車の台数変化やある画面での被写体の有無によりファイルサイズが変化することが推測される。
（３）波の大きさであるスープ（白い泡の部分）やうねりの明暗差によりファイルサイズが変化する。
【００６７】
上記の実施例から、被写体を撮影し所定の圧縮処理アルゴリズムによりデジタル化して時系列に並んだ複数の画像ファイルを取得し、画像ファイルのファイルサイズを基にして複数の画像ファイルの中から特定画像ファイルを選択すると、特定の状態にある画像を含んだ画像ファイルを選択することができることが判明した。
また上記の実施例から、被写体を撮影し所定の圧縮処理アルゴリズムによりデジタル化して時系列に並んだ複数の画像ファイルを取得し、画像ファイルのファイルサイズを基にして、被写体の状態を推定することのできることが判明した。
【００６８】
上述の実施形態の画像処理方法と画像処理プログラムを用いれば、以下の効果を発揮する。
被写体を撮影しデジタル化した複数の画像ファイルの中から、それぞれのファイルサイズを基にして特定画像ファイルを選択するので、ファイルサイズに影響を与える被写体の状態に対応した映像ファイルを選択できる。
撮影機により被写体を撮影し、その画像を圧縮処理アルゴリズムによりデジタル化して画像ファイルを生成することを繰り返して、時系列にならんだ複数の画像ファイルを取得し、その複数の画像ファイルのなかからファイルサイズを基に特定画像ファイルを選定し、その特定画像ファイルに記録された画像を顧客に配信し、またはデータセンターにアップロードするので、顧客はパソコン、携帯端末、携帯電話等を用いてその画像を閲覧できる。
また、被写体の動きが大きいまたは被写体の明度が高い等の状態であると画像ファイルのファイルサイズが大きくなるので、時系列に並んだ複数の画像ファイルのうちファイルサイズの大きい画像ファイルうちから特定画像ファイルを選択すると、被写体の動きの大きい画像または被写体の明度の高い画像を含んだ画像ファイルを選択できる。
また、被写体の動きが少ないまたは被写体の明度が低い等の状態であると画像ファイルのファイルサイズが小さくなるので、時系列に並んだ複数の画像ファイルのうちファイルサイズの小さい画像ファイルうちから特定画像ファイルを選択すると、被写体の動きの小さい画像または被写体の明度の低い画像を含んだ画像ファイルを選択できる。
また、被写体が風景であって、風景を撮影した際の気象条件によって、大きいファイサイズの画像ファイルまたは小さいファイルサイズの画像ファイルのどちらかを選択する様にしたので、気象条件によって、被写体の動きの大きいまたは小さい画像の一方または被写体の明度の高いまたは低い画像をの一方含んだ画像ファイルを選択できる。
また、被写体が海岸に打ち寄せる波を含む風景であるので、画像ファイルのファイルサイズを基にして複数の画像ファイルの中から特定画像ファイルを選択すると、海岸に打ち寄せる波の大きさや多さに対応して画像を選ぶことをできる。
また、特定画像ファイルや画像ファイルや画像を顧客のパソコン、携帯端末、携帯電話等に配信するので、顧客は自分の興味に合わせた画像を閲覧できる。
また、特定画像ファイルや画像ファイルや画像をデータセンターにアップロードする様にしたので、顧客は自分の興味に合わせた画像をダウンロードして閲覧できる。
また、被写体の動きが少ないと画像ファイルのファイルサイズが小さくなり、被写体の動きが大きいと画像ファイルのファイルサイズが大きくなり、被写体の明度が高いと動画サイズのファイルサイズが大きくなり、被写体の明度が低いと画像ファイルのファイルサイズが小さくなるので、複数の画像ファイルのファイルサイズの時系列の変化から被写体の状態を推定すると、ファイルサイズを比較する等の簡易な手順で被写体の状態を推定できる。
また、複数の画像ファイルのファイルサイズの時系列の変化の幅が所定の値より小さいときに被写体の動きが少ないと推定するので、簡易な手順で被写体の動きを推定できる。
また、推定した状態を顧客のパソコン、携帯端末、携帯電話等に配信するので、顧客は被写体の状態を知ることをできる。
また、推定した状態をデータセンターにアップロードするので、顧客は被写体の状態を知ることをできる。
また、画像そのものを配信することなく、被写体の状態を知らせることができるので、被写体が人間である場合に、人間のプライバシーを保護するのを容易にする。
【００６９】
本発明は以上に述べた実施形態に限られるものではなく、発明の要旨を逸脱しない範囲で各種の変更が可能である。
画像処理方法において、画像配信工程と画像アップロード工程との両方を実施する例で説明したが、これに限定されず、画像配信工程と画像アップロード工程との一方のみを実施してもよい。
また、画像処理方法において、状態通信工程と状態アップロード工程との両方を実施する例で説明したが、これに限定されず、状態通信工程と状態アップロード工程との一方のみを実施してもよい。
また、画像ファイル取得工程がカメラの撮影した画像ファイルを受信する例で説明したがこれに限定されず、何らなの手段により予め画像ファイルを準備してもよい。
【図面の簡単な説明】
【００７０】
【図１】本発明の実施形態に係る画像処理システムの概念図である。
【図２】本発明の第一の実施形態に係る画像処理装置の機能ブロック図である。
【図３】本発明の第一の実施形態に係る画像処理方法の手順図である。
【図４】本発明の第二の実施形態に係る画像処理装置の機能ブロック図である。
【図５】本発明の第二の実施形態に係る画像処理方法の手順図である。
【図６】本発明の第一の実施形態に係る画像処理方法の実施例である。
【符号の説明】
【００７１】
１０  撮影機
２０  コンピュータ
３０  データセンター
４０  顧客
Ｆ１０  画像処理機能
Ｆ１１  画像ファイル取得機能
Ｆ１２  ファイル保存機能
Ｆ１３  画像ファイル選択機能
Ｆ１４  画像配信機能
Ｆ１５  画像アップロード機能
Ｓ１０  画像処理方法
Ｓ１１  画像ファイル取得工程
Ｓ１２  画像ファイル選択工程
Ｓ１３  画像配信工程
Ｓ１４  画像アップロード工程
Ｆ２０  画像処理機能
Ｆ２１  画像ファイル取得機能
Ｆ２２  ファイル保存機能
Ｆ２３  状態推定機能
Ｆ２４  状態通信機能
Ｆ２５  状態アップロード機能
Ｓ２０  画像処理方法
Ｓ２１  画像ファイル取得工程
Ｓ２２  状態推定工程
Ｓ２３  状態通信工程
Ｓ２４  状態アップロード工程
【図１】
2006268197.tif 000003
【図２】
2006268197.tif 000004
【図３】
2006268197.tif 000005
【図４】
2006268197.tif 000006
【図５】
2006268197.tif 000007
【図６】
2006268197.tif 000008